(57)【特許請求の範囲】
【請求項１】
プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつオペレータからの入力操作により、プラントの運転を制御するためのプラント制御操作情報を入力する表示装置と、を少なくとも備え、前記プロセス制御装置並びに前記入力装置と各プラント監視装置とをネットワークで接続結合させたプラント監視制御システムにおいて、
前記各プラント監視装置は、
あるプラント監視装置に接続された前記表示装置からの情報共有要求に伴い、当該要求元の表示装置に画面表示されている前記プラント監視情報と、当該要求元の表示装置が受け付けたオペレータの入力操作を示す前記プラント制御操作情報と、を指定先の他のプラント監視装置の表示処理手段に転送する情報転写手段と、
前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、
を備えることを特徴とするプラント監視制御システム。
【請求項２】
請求項１記載のプラント監視制御システムにおいて、
前記各プラント監視装置には、前記表示装置からの情報共有要求に際し、前記情報転写手段と情報連動手段とを任意に選択する選択手段を設けたことを特徴とするプラント監視制御システム。
【請求項３】
請求項１又は２記載のプラント監視制御システムにおいて、
前記各プラント監視装置には、前記表示装置からの情報共有要求に際し、前記指定先のプラント監視装置を任意に選定する表示装置選定手段を設けたことを特徴とするプラント監視制御システム。
【請求項４】
プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつプラント制御操作情報を入力する表示装置と、を少なくとも備え、前記プロセス制御装置並びに前記入力装置と各プラント監視装置とをネットワークで接続結合させたプラント監視制御システムにおいて、
前記各プラント監視装置は、
あるプラント監視装置に接続された前記表示装置からの情報共有要求に伴い、当該要求元の表示装置に画面表示されている前記プラント監視情報と、プラントの運転を制御するためのオペレータの操作を示す前記プラント制御操作情報と、を指定先の他のプラント監視装置の表示処理手段に転送する情報転写手段と、
前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、
前記表示装置からの情報共有要求に際し、前記プラント監視情報およびプラント制御操作情報の内でウインドウ表示されるものについて転写表示もしくは連動表示を避けたい情報を除去するフィルタ手段と、
を備えることを特徴とするプラント監視制御システム。
【請求項５】
プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつオペレータからの入力操作により、プラントの運転を制御するためのプラント制御操作情報を入力する表示装置と、を少なくとも備え、前記プロセス制御装置並びに前記入力装置と各プラント監視装置とをネットワークで接続結合させたプラント監視制御システムが構成され、
前記各プラント監視装置は、
あるプラント監視装置に接続された前記表示装置からの情報共有要求に伴い、当該要求元の表示装置に画面表示されている前記プラント監視情報と、当該要求元の表示装置が受け付けたオペレータの入力操作を示す前記プラント制御操作情報と、を指定先の他のプラント監視装置の表示処理手段に転送する情報転写手段と、
前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、をさらに備えて構成され、
コンピュータを、前記各プラント監視装置が備えた前記プロセス値監視手段、前記表示処理手段、前記情報転写手段及び前記情報連動手段として機能させるためのプログラムを記憶したコンピュータ読み取り可能な記憶媒体。
【発明の詳細な説明】
【０００１】
【発明の属する技術分野】
本発明は、発電プラント等の監視対象プラントの監視および制御操作を行う際の監視制御情報の情報共有化を改善したプラント監視制御システムおよびその動作プログラムを記憶保持した記憶媒体に関する。
【０００２】
【従来の技術】
近年の各種プラント、特に発電プラントでは、運転状態の監視と該監視に基づく制御信号の入力操作とを行うために、これまでの制御盤に代えて、計算機を中核とするプラント監視装置を用いている。このプラント監視装置においては、高密度ＣＲＴ等の表示装置の画面にプロセス値の状態や警報状態等を画面表示させることでプラント監視を行い、プラント操作についても、同様に表示装置の画面上に表示される系統グラフィック図などの操作シンボルをプラントオペレータが選択（ポイント指示入力）することで、制御操作の指示を出すようにしたＣＲＴオペレーションが主流になっている。
【０００３】
このようにＣＲＴオペレーションを用いたプラント監視制御システムの場合、プラント状態監視および制御信号入力操作を行うための各種計算機は、大規模なもので十数台規模に達しており、表示装置もまた複数台構成となることが多い。そして、これらの各計算機を用いたプラント監視装置と表示装置とは、プラント現場や中央制御操作室、それに、緊急事故対策室、事務本館などに分散して配置され、数人程度のプラントオペレータによってプラント運転のための状態監視および制御信号の入力を行うようにしている。
【０００４】
一方、プラントにおける運転制御操作の安全性確保の観点から、所要の表示装置のＣＲＴに表示されている監視情報やＣＲＴオペレーションが、プラントオペレータ個人の独断で処理されることの危惧を避ける必要上、別に大型スクリーンなどの情報共有が可能な表示装置を中央制御操作室に設置している。
【０００５】
図１７には、上記構成による従来のプラント監視制御システムの概要をブロック図で示す。
【０００６】
すなわち、図１７に示す従来のシステム構成においては、プラント監視制御のための計算機を用いた複数台、この場合、第１および第２の２台からなる各プラント監視装置が設けられている。これらの第１、第２の各プラント監視装置１，２には、プラント状態の監視情報を画面表示すると共に、プラントオペレータによるＣＲＴオペレーション、つまり、運転制御のための制御操作情報を入力する第１、第２の各表示装置１０，１１がそれぞれに設けられている。また、監視対象のプラント２０には、プラントプロセスを制御するためのプロセス制御装置３０と、プロセスデータを走査入力するためのプラント入力手段１５０とが設けられている。
【０００７】
そして、これらの第１、第２の各プラント監視装置１，２とプラント２０のプロセス制御装置３０およびプラント入力手段１５０との相互は、ネットワーク４０によって接続され、さらに、第１、第２の各プラント監視装置１，２の表示装置１０，１１間には、接続切替装置５０を介することで、情報共有のための大型スクリーンを備える共有情報表示装置１２が配置されている。
【０００８】
一方、第１、第２の各プラント監視装置１，２には、入力されるプロセス入力値に基づいてプラントの運転状態を監視するプロセス値監視手段１００，１０１と、該プロセス値監視手段１００，１０１の監視情報を第１、第２の各表示装置１０，１１に画面表示させるための第１、第２の各表示処理手段１１０，１１１とが設けられている。
【０００９】
このような装置構成において、今、第１のプラント監視装置１の表示装置１０に表示されている監視情報につき、プラントオペレータが、共有情報表示装置１２への情報共有表示を要求した場合には、接続切替装置５０により、該第１のプラント監視装置１に対する共有情報表示装置１２が接続され、該共有要求のあった監視情報が共有情報表示装置１２に転写かつ画面表示される。このように複数のプラントオペレータが、プラント状況の確認を実施しながら運転を行う。
【００１０】
【発明が解決しようとする課題】
しかしながら、上記図１７に示される従来のプラント監視制御システムの場合には、次に述べるようなそれぞれの問題点があった。
【００１１】
まず、接続切替装置に接続できないプラント監視装置からは、運転状態の監視情報および制御操作情報の共有を要求することができない。
【００１２】
すなわち、情報共有用の共有情報表示装置と接続切替装置とが、先に述べた如く、中央制御操作室に設置されているときは、該中央制御操作室から遠く離れたプラント現場や、事務本館に設置した計算機からは各情報の共有要求が不可能であり、該共有要求の可能なプラント監視装置は、中央制御操作室に設置されたものに限られることになる。
【００１３】
従って、本発明の第１の目的は、上記各所に分散して配置されている全てのプラント監視装置から、ネットワークを介して大型スクリーンなどを有する特定の共有情報表示装置に監視情報および制御操作情報の共有を要求でき、かつその転写表示を可能にしたプラント監視制御システムを提供することにある。
【００１４】
また、ＣＲＴオペレーションによるプラント制御の操作情報などについては、オペレータの操作手順を常時複数の運転員が確認するようにしているが、その操作確認の度毎に情報共有を要求するのは、要求操作自体が極めて煩わしく、却って操作の妨げになる。
【００１５】
このために、情報共有を指定した時点から、ある表示装置に画面表示されている操作情報を所要の表示装置に連動して画面表示させたい場合があるが、プラント現場において制御信号の入力操作をＣＲＴオペレーションで行うとき等には、その操作を中央制御操作室では確認することができなかった。
【００１６】
従って、本発明の第２の目的は、例えば、現場等に分散して配置されたプラント監視装置から離れた場所に設置されている大型スクリーンなどを有する特定の共有情報表示装置に対してプラント監視情報およびプラント制御操作情報の連動による表示要求ができ、情報共有を行い得るようにしたプラント監視制御システムを提供することにある。また、第３の目的は、連動による転写表示につき、共有を要求する情報の内容に応じて任意選択的に切替え表示させ得るようにしたプラント監視制御システムを提供することにある。
【００１７】
また、情報の共有を実施できるプラント監視装置が、接続切替装置に接続可能なプラント監視装置の表示装置と、共有情報表示装置とに限定されており、例えば、プラントオペレータの使用しているプラント監視装置の表示装置で知り得たそれぞれの各表示情報などについては、これを当直長の使用しているプラント監視装置の表示装置に転写表示させることができなかった。
【００１８】
従って、本発明の第４の目的は、ネットワーク上に接続された各プラント監視装置の相互間で、情報共有を要求したい表示装置が接続されているプラント監視装置を指定できるようにすると共に、該各プラント監視装置の相互間において自由な情報共有の指定を行い得るようにしたプラント監視制御システムを提供することにある。
【００１９】
また、接続切替装置の切替えによって機械的に１台のプラント監視装置のもつ表示情報を他のプラント監視装置に分配しているために、例えば、情報共有の要求時にあって、該当プラント監視装置の表示装置に既に操作用ウインドウなどが画面表示されていると、該操作用ウインドウの画面表示についてもまた共有情報として表示されることになり、これによって本来は共有すべき画面表示箇所が覆い隠されてしまうという不都合があった。
【００２０】
従って、本発明の第５の目的は、情報共有に不必要であると思われる表示箇所をあらかじめ指定しておき、必要な表示情報のみを選択して共有できるようにしたプラント監視制御システムを提供することにある。
【００２１】
また、接続切替装置は、１台のプラント監視装置と表示装置とを１対１の関係で機械的に接続させているため、該当表示装置に画面表示されている監視情報や制御操作情報を同時に複数台の表示装置に転写して連動表示することができず、同様に、複数台の表示装置から特定の表示装置に対して同時に情報共有の要求がなされたときにも、これを集約して転写表示させることができなかった。
【００２２】
従って、本発明の第６の目的は、１回の情報共有要求により、複数台の表示装置に対して監視情報や制御操作情報を連動かつ転写表示させ得るようにしたプラント監視制御システムを提供することにある。さらに、第７の目的は、特定の表示装置に対して同時に複数台の表示装置からの情報共有が指定された場合にも、これらの表示装置の表示情報を集約して画面表示させ得るようにしたプラント監視制御システムを提供することにある。
【００２３】
また、上記とは逆に、プラントの運転上、重要な制御操作情報の連動要求を特定の表示装置に対して行い、該情報を両者が共有しているときには、他の表示装置からの情報共有要求の排他ができなかった。
【００２４】
従って、本発明の第８の目的は、プラントオペレータの要求により、情報共有中の表示装置に対して更なる情報共有要求がなされたときに、該情報共有要求を排他できるようにしたプラント監視制御システムを提供することにある。
【００２５】
【課題を解決するための手段】
上記の各目的を達成するため、本発明に係る請求項１記載のプラント監視制御システムは、プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつオペレータからの入力操作により、プラントの運転を制御するためのプラント制御操作情報を入力する表示装置と、を少なくとも備え、前記プロセス制御装置並びに前記入力装置と各プラント監視装置とをネットワークで接続結合させたプラント監視制御システムにおいて、前記各プラント監視装置は、あるプラント監視装置に接続された前記表示装置からの情報共有要求に伴い、当該要求元の表示装置に画面表示されている前記プラント監視情報と、当該要求元の表示装置が受け付けたオペレータの入力操作を示す前記プラント制御操作情報と、を指定先の他のプラント監視装置の表示処理手段に転送する情報転写手段と、前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、を備えることを特徴としている。
【００２６】
本請求項１のプラント監視制御システムでは、所要のプラント監視装置の表示装置からの要求先を指定した情報共有要求に基づき、要求元のプラント監視装置に設けられた情報転写手段が、該要求元の表示装置に画面表示されているプラント監視情報およびプラント制御操作情報を指定先のプラント監視装置に送信し、送信情報を受信する指定先のプラント監視装置は、自装置の表示装置に該受信したプラント監視情報およびプラント制御操作情報を画面表示して、情報共有要求に対応した表示情報を転写させる。
【００２８】
また、本請求項１のプラント監視制御システムでは、要求元のプラント監視装置に設けられた情報連動手段が、指定先の表示装置への各情報表示後、要求元の表示装置に対して行われるプラント制御操作の経過などを該指定先の表示装置に継続して画面表示させ、情報共有要求に対応した表示情報を転写に連動して継続表示させる。
【００３１】
本発明の請求項２記載のプラント監視制御システムは、前記請求項１のプラント監視制御システムにおいて、前記各プラント監視装置には、前記表示装置からの情報共有要求に際し、前記情報転写手段と情報連動手段とを任意に選択する選択手段を設けたことを特徴としている。
【００３２】
本請求項２のプラント監視制御システムでは、前記表示装置からの情報共有要求に際して、前記各プラント監視装置に設けられる選択手段により、前記情報転写手段と情報連動手段とを任意に選択することで、該選択された手段による所要情報の画面表示または所要情報の継続した画面表示がなされる。
【００３３】
本発明の請求項３記載のプラント監視制御システムは、前記請求項１または請求項２のプラント監視制御システムにおいて、前記各プラント監視装置には、前記表示装置からの情報共有要求に際し、前記指定先のプラント監視装置を任意に選定する表示装置選定手段を設けたことを特徴としている。
【００３４】
本請求項３のプラント監視制御システムでは、前記表示装置からの情報共有要求に際して、前記各プラント監視装置に設けられる表示装置選定手段により、該各表示装置の任意の各表示装置もしくは全ての表示装置を表示指定先として任意に選定することで、該選定した表示装置に対して共有情報が表示される。
【００３５】
本発明の請求項４記載のプラント監視制御システムは、プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつプラント制御操作情報を入力する表示装置と、を少なくとも備え、前記プロセス制御装置並びに前記入力装置と各プラント監視装置とをネットワークで接続結合させたプラント監視制御システムにおいて、前記各プラント監視装置が、あるプラント監視装置に接続された前記表示装置からの情報共有要求に伴い、当該要求元の表示装置に画面表示されている前記プラント監視情報と、プラントの運転を制御するためのオペレータの操作を示す前記プラント制御操作情報と、を指定先の他のプラント監視装置の表示処理手段に転送する情報転写手段と、前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、前記表示装置からの情報共有要求に際し、前記プラント監視情報およびプラント制御操作情報の内でウインドウ表示されるものについて転写表示もしくは連動表示を避けたい情報を除去するフィルタ手段と、を備えることを特徴としている。
【００３６】
本請求項４のプラント監視制御システムでは、前記表示装置からの情報共有要求に際して、前記各プラント監視装置に設けられるフィルタ手段により、情報表示を必要としない情報または情報部分が除去されることで、情報表示の視認性が高められる。
【００３７】
また、本発明の請求項５は、プラントプロセスを制御するプロセス制御装置と、プロセスデータを走査入力する入力装置と、前記入力装置により入力されたプロセス値をプラント状態の監視情報として監視するプロセス値監視手段及び該プロセス値監視手段により監視されるプラント監視情報を表示処理する表示処理手段を設けた複数台のプラント監視装置と、各プラント監視装置にそれぞれ接続され、プラントの運転状態を示すプラント監視情報を表示しかつオペレータからの入力操作により、プラントの運転を制御するためのプラント制御操作情報を入力する表示装置と、を少なくとも備え、前記プロセス制御装置並びに前記入力装置と各プラント監視装置とをネットワークで接続結合させたプラント監視制御システムが構成され、前記各プラント監視装置は、あるプラント監視装置に接続された前記表示装置からの情報共有要求に伴い、当該要求元の表示装置に画面表示されている前記プラント監視情報と、当該要求元の表示装置が受け付けたオペレータの入力操作を示す前記プラント制御操作情報と、を指定先の他のプラント監視装置の表示処理手段に転送する情報転写手段と、前記要求元の表示装置に画面表示されているプラント監視情報とプラント制御操作情報とを前記情報転写手段を通じて前記指定先のプラント監視装置の表示処理手段に継続して送信することによって、当該継続して送信されたプラント監視情報及びプラント制御操作情報を、前記指定先のプラント監視装置に接続された表示装置と前記要求元の表示装置とに連動表示させる情報連動手段と、をさらに備えて構成され、コンピュータを、前記各プラント監視装置が備えた前記プロセス値監視手段、前記表示処理手段、前記情報転写手段及び前記情報連動手段として機能させるためのプログラムを記憶したコンピュータ読み取り可能な記憶媒体である。
【００４３】
【発明の実施の形態】
本発明に係るプラント監視制御システムおよびその記憶媒体の各別の実施形態について、図１ないし図１６を参照して詳細に説明する。なお、図１ないし図１６に示す各実施形態のプラント監視制御システム構成において、先に述べた図１７の従来構成における各部と同一符号は同一または相当部分を示している。
【００４４】
（Ａ）第１実施形態．
第１実施形態に係るプラント監視制御システムにおいて、第１のプラント監視装置の第１の表示装置からの情報共有要求に基づき、共有情報表示装置へプラント監視情報の転写を行う場合を図１および図２、図３を用いて説明する。
【００４５】
本第１実施形態によるプラント監視制御システムの構成は、図１に示す通り、第１、第２の各プラント監視装置１，２の各表示装置１０，１１に画面表示されるプラント監視情報およびプラント制御操作情報について、その情報共有先として第３のプラント監視装置３の共有情報表示装置１２を指定できるようにしたものである。
【００４６】
本第１実施形態において、図１７の従来構成と異なる主要な点は、従来での第１、第２の各プラント監視装置１，２と、情報共有先となる共有情報表示装置１２とを切替え接続するための接続切替え装置５０に代えて、新たに第３のプラント監視装置３を設けると共に、この場合の情報共有要求の要求元となる第１、第２の各プラント監視装置１，２、つまり、第１の表示装置１０を制御する第１のプラント監視装置１と、第２の表示装置１１を制御する第２のプラント監視装置２とに対し、それぞれに第１、第２の各情報転写手段２００，２０１を追加したことである。なお、図１中、符号１０２は、第３のプラント監視装置３に設けられたプロセス値監視手段である。
【００４７】
すなわち、本第１実施形態は、ネットワーク４０上に接続されている全ての表示装置、この場合、第１、第２の各表示装置１０，１１のプラント監視情報およびプラント制御操作情報を共有情報表示装置１２に対して画面表示させることにより、該各情報を共有可能にする点に特徴を有している。
【００４８】
そして、第１ないし第３の各プラント監視装置１〜３には、所要の機能を所期通りに実行するために、これらの各プラント監視装置１〜３に対して、適当な計算手段で読み取り入力可能なそれぞれの各プログラム内容を記憶したフロッピィディスク（ＦＤ）等の第１ないし第３の各記憶媒体１ａ〜１ｃをそれぞれに付帯させてもよい。
【００４９】
次に、本第１実施形態における各情報転写手段の動作の態様、ここでは、第１，第３の各記憶媒体１ａ，１ｃに記憶されている動作プログラムに基づいて動作する第１の情報転写手段２００の作用について述べる。
【００５０】
第１のプラント監視装置１の表示装置１０には、図２に示すようなプラント監視情報が画面表示されている。この場合は、該第１の表示装置１０の表示区域を上下および左右に４分割し、表示区域１に警報画面Ｓ１、表示区域２に系統グラフィック図Ｓ２、表示区域３にトレンドグラフＳ３、および表示区域４にプロセスデータ一覧Ｓ４の各プラント監視情報がそれぞれに画面表示されている。これらの各表示区域の分割状態の変更、プラント監視情報の各表示制御については、第１の表示処理手段１１０によって行われる。
【００５１】
この状態で、プラントオペレータが第１のプラント監視装置１の表示装置１０から情報共有先として共有情報表示装置１２を指定すると、第１の情報転写手段２００では、第１の表示処理手段１１０に対して現在の表示区域の分割状態と、現在表示中のプラント監視情報とを通知するように要求する。この要求に対して、第１の表示処理手段１１０は、図３に示すような共有情報テーブルＴ１を作成して第１の情報転写手段２００に通知する。
【００５２】
一方、該共有情報テーブルＴ１を受け取った第１の情報転写手段２００は、ネットワーク４０を介して第３のプラント監視装置３の第３の表示処理手段１１２に共有情報テーブルＴ１を送信し、該第３の表示処理手段１１２では、まず、受信する共有情報テーブルＴ１の内容から、分割状態を取り出して、共有情報表示装置１２の表示区域の分割状態を変更し、ついで、第１の表示装置１０の各表示区域に画面表示されていたプラント監視情報を取り出して、該共有情報表示装置１２の各該当表示区域に表示要求を行う。
【００５３】
この場合、第１のプラント監視装置１および第１のプラント監視装置３には、ネットワーク４０を通して同じプロセスデータが入力されていることから、結果的に、第１の表示装置１０の各表示区域に画面表示されていたプラント監視情報を共有情報表示装置１２の表示画面上に転写できる。
【００５４】
（Ｂ）第２実施形態．
第２実施形態に係るプラント監視制御システムにおいて、第１のプラント監視装置の第１の表示装置からの情報共有要求に基づき、共有情報表示装置へプラント監視情報の転写、ならびに第１の表示装置のプラント制御操作情報の連動表示を図４および図５を用いて説明する。
【００５５】
本第２実施形態によるプラント監視制御システムの構成は、同図４に示す通りに、前記第１実施形態での第１、第２の各情報転写手段２００，２０１を追加した第１、第２の各プラント監視装置１，２に対して、さらに、第１、第２の各情報連動手段２１０，２１１をそれぞれに加えることにより、情報共有を要求した時点からプラントオペレータによる画面操作を連動して表示可能にしたものである。
【００５６】
そして、第１ないし第３の各プラント監視装置１〜３には、所要の機能を所期通りに実行するために、各プラント監視装置１〜３に対して、適当な計算手段で読み取り入力可能なそれぞれの各プログラム内容を記憶したフロッピィディスク（ＦＤ）等の第１ないし第３の各記憶媒体１ａ〜１ｃを同様にそれぞれ付帯させてもよい。
【００５７】
次に、本第２実施形態における各情報連動手段の動作の態様、ここでは、第１，第３の各記憶媒体１ａ，１ｃに記憶されている動作プログラムに基づいて動作される第１の情報連動手段２１０の作用について述べる。
【００５８】
第１のプラント監視装置１の表示装置１０には、図５に示すようなプラント制御操作情報が画面表示されている。この場合、該第１の表示装置１０の表示画面は、ＣＲＴオペレーション構成に分割されており、表示区域１に系統グラフィック図Ｓ２、表示区域２に制御操作ウインドウＳ５がそれぞれに画面表示されている。
【００５９】
この状態で、プラントオペレータが第１のプラント監視装置１の表示装置１０から情報共有先として共有情報表示装置１２を指定すると、前記第１実施形態において述べた如く、第１の情報転写手段２００によって、第１の表示装置１０に画面表示されていたプラント制御操作情報が共有情報表示装置１２の表示画面上に転写されることになり、第１の情報連動手段２１０は、該転写の終了に合わせてその作用を開始する。
【００６０】
ここで、図５に示す第１の表示装置１０に画面表示されている制御操作ウインドウＳ５は、実質的にプラントの主機もしくは補機を制御操作するものであり、例えば、系統グラフィック図Ｓ２に画面表示されている調節弁ａを開弁方向に制御操作したいときには、該制御操作ウインドウＳ５に画面表示されている“開”ボタン表示をポイント指示して選択入力操作する。そして、この選択入力操作が行われると、該操作がなされたことを明示するために、該当表示箇所を点滅表示させたり、操作中であるとの表示に変更することが行われる。
【００６１】
第１の情報連動手段２１０では、第１の表示装置１０において前記選択操作がなされた場合に、これを受け取って自装置、つまり、第１のプラント監視装置１の表示処理手段１１０に該選択操作情報を通知すると共に、同時に、これに合わせて情報共有先である第３のプラント監視装置３の表示処理手段１１２に対してもネットワーク４０を介して送信し、かつ該第３の表示処理手段１１２がこれを受信する。
【００６２】
従って、この場合、第３のプラント監視装置３の共有情報表示装置１２には、先の第１の情報転写手段２００によって、第１の表示装置１０におけるのと同様に、図５に示す画面表示がなされているために、実際上は、該共有情報表示装置１２に対する制御操作ウインドウＳ５の選択操作が直接なされていないにも拘らず、第３の表示処理手段１１２が第１の情報連動手段２１０からの選択操作情報を受けて第１の表示処理手段１１０と全く同じ表示変更を行うので、結果的に、第１の表示装置１０の選択操作が共有情報表示装置１２に連動表示される。
【００６３】
（Ｃ）第３実施形態．
第３実施形態に係るプラント監視制御システムにおいて、第１のプラント監視装置の第１の表示装置からの情報共有要求に基づき、共有情報表示装置への情報転写手段および情報連動手段の何れかを任意に選択設定できるようにした場合を図６および図７を用いて説明する。
【００６４】
本第３実施形態によるプラント監視制御システムの構成は、同図６に示す通りに、上記第１、第２の各実施形態、特に第２の実施形態での第１、第２の各プラント監視装置１，２に対して、さらに、第１、第２の各選択手段２２０，２２１をそれぞれに加えることにより、情報共有の要求に先立って前記“転写”および“連動”を任意に選択できるようにしたものである。
【００６５】
次に、本第３実施形態における各選択手段の動作の態様、ここでは、第１の選択手段２２０の作用について述べる。
【００６６】
前記図２に示すようなプラント監視情報を共有情報表示装置１２に対して情報共有要求するときには、“転写”を選択し、また、前記図５に示すようなプラント制御操作情報を共有したいときには、“連動”を選択するものとし、プラントオペレータは、第１の表示装置１０から情報共有を要求する以前に、これらの  “転写”および“連動”の何れを選択するかをあらかじめ指定して入力する。
【００６７】
図７のフローチャートを参照して説明する。まず、第１の選択手段２２０は、前記選択指定入力を受信し、該指定が“転写”を実施するものか、あるいは“連動”を実施するものかを決定する。その後、プラントオペレータの情報共有要求を受信すると、該要求が“転写”を実施する指定であれば、第１の情報転写手段２００に処理開始の指令を出し、“連動”を実施する指定であれば、該第１の情報転写手段２００による転写処理の終了後、引続き、第１の情報連動手段２１０に処理開始の指令を出す。このようにしてプラントオペレータは、“転写”および“連動”という情報共有のための各手段を任意に選択することができる。
【００６８】
このとき、“転写”および“連動”の選択がなされないままで情報共有要求が行われた場合のデフォルト動作は、設定パラメータファイル３００に記述しておくことで決定する。
【００６９】
（Ｄ）第４実施形態．
第４実施形態に係るプラント監視制御システムにおいて、第１のプラント監視装置の第１の表示装置からの情報共有要求に基づき、情報転写装置および情報連動装置の動作を実施するときに、情報共有する表示装置を任意に選定できるようにした場合を図８および図９を用いて説明する。
【００７０】
本第４実施形態によるプラント監視制御システムの構成は、同図８に示す通りに、前記第２の実施形態での第１ないし第３の各プラント監視装置１〜３に対して、さらに、第１ないし第３の各表示装置選定手段２３０〜２３２をそれぞれに加えることにより、情報共有するための表示装置、つまり、この場合には、第１、第２の各表示装置１０，１１および共有情報表示装置１２に代わる第３の表示装置１２ａの何れかを任意に選定できるようにしたものである。
【００７１】
次に、本第４実施形態における各表示装置選定手段の動作の態様、ここでは、第１の表示装置選定手段２３０の作用について述べる。なお、第１の表示装置１０には、前記図２に示すようなプラント監視情報が画面表示されている。
【００７２】
ここで、以上の各実施形態で述べてきたプラント監視装置の場合には、この状態でプラントオペレータが情報共有を要求すると、無条件で、情報転写手段２００もしくは情報連動手段２１０が共有情報表示装置１２を情報共有先であるものと認識し、これに該当する第３のプラント監視装置３の表示処理手段１１２に対して表示情報を送信するようにしていた。
【００７３】
そこで、本第４実施形態では、それぞれの各表示装置１０，１１，１２ａおよび各プラント監視装置１，２，３に論理番号を割り振ると共に、該各論理番号を指定することで、該各表示装置１０，１１，１２ａの何れかを情報共有先として任意に選定できるようにする。
【００７４】
すなわち、図８の構成において、第１の表示装置１０の論理番号をＣＲＴ１、第２の表示装置１１の論理番号をＣＲＴ２、第３の表示装置１２ａの論理番号をＣＲＴ３とし、第１のプラント監視装置１の論理番号をＯＰＳ１、第２のプラント監視装置２の論理番号をＯＰＳ２、第３のプラント監視装置３の論理番号をＯＰＳ３としておく。
【００７５】
これらの各論理番号は、それぞれに対応する各設定パラメータファイル３０１に記述される。該各設定パラメータファイル３０１には、各該当表示装置１０，１１，１２ａの論理番号をキーにして、その表示装置１０，１１，１２ａを制御する各プラント監視装置１，２，３のネットワーク４０上における存在位置が記されている。
【００７６】
プラントオペレータにおいては、情報共有を要求する際に、何れの表示装置１０，１１，１２ａを情報共有先とするかについて、これらの各論理番号を指定することになる。
【００７７】
図８には、第１のプラント監視装置１の表示装置１０から情報共有先として第２のプラント監視装置２の表示装置１１を指定する場合の構成を示している。従って、該第１の表示装置１０から情報共有要求を行うときには、指定される論理番号がＣＲＴ２となり、該論理番号ＣＲＴ２は、第１の表示装置選定手段２３０に通知される。第１の表示装置選定手段２３０では、通知された論理番号ＣＲＴ２に基づいて設定パラメータファイル３０１から、対応するプラント監視装置の論理番号ＯＰＳ２と、そのネットワーク上での位置とを取り出すことにより、情報共有先として指定されたプラント監視装置および表示装置が、第２のプラント監視装置２および第２の表示装置１１であることを特定する。
【００７８】
引続き、第１の情報転写手段２００および第１の情報連動手段２１０においては、他のプラント監視装置の表示装置に表示情報を直接、送信せずに、まず、自プラント監視装置１の第１の表示装置選定手段２３０に該当表示情報を通知する。ついで、該第１の表示装置選定手段２３０では、前記のように、あらかじめ特定しておいた情報共有先である第２のプラント監視装置２の第２の表示処理手段１１１に対し、ここでの表示情報、つまり、第１の表示装置１０に画面表示されていたプラント監視情報を送信することにより、該第２の表示処理手段１１１を動作させて第２の表示装置１１に転写表示あるいは連動表示させる。
【００７９】
また同様に、以上の操作は、例えば、第３のプラント監視装置３の表示装置１２ａから第２のプラント監視装置２の表示装置１１に対しても情報共有を指定することが可能であり、このようにして同一ネットワーク４０上に接続される全ての各プラント監視装置の表示装置間において相互に情報共有を実施できる。
【００８０】
（Ｅ）第５実施形態．
第５実施形態に係るプラント監視制御システムにおいて、第１のプラント監視装置の第１の表示装置からの情報共有要求に基づき、情報転写装置および情報連動装置の動作を実施するときに、特定の情報の共有抑制（フィルタ動作）を行うようにした場合を図１０および図１１（ａ），（ｂ）、図１２を用いて説明する。
【００８１】
本第５実施形態によるプラント監視制御システムの構成は、図１０に示す通りに、前記第４の実施形態での第１ないし第３の各プラント監視装置１〜３に対して、さらに、第１ないし第３の各フィルタ手段２４０〜２４２をそれぞれに加えることにより、特定の情報の共有抑制を行い得るようにしたことを特徴としている。
【００８２】
次に、本第５実施形態における各フィルタ手段の動作の態様、ここでは、第１のフィルタ手段２４０の作用について述べる。
【００８３】
第１の表示装置１０には、図１１（ａ）に示すようなプラント監視情報が画面表示されているものとする。該画面表示の状態は、前記図５での系統グラフィック図Ｓ２および制御操作ウインドウＳ５の画面表示に重ねて、ＣＲＴオペレーション中に制御操作を行うためのユーティリティであるプラント辞書Ｓ６がウインドウ表示されている。
【００８４】
この状態で、プラントオペレータが第１のプラント監視装置１の表示装置１０から第２のプラント監視装置２の表示装置１１に対して情報共有要求を行うものとする。この場合に、プラントオペレータが真に共有を実施したい箇所は、既に表示区域２に画面表示されている制御操作ウインドウＳ５の制御操作であるが、該制御操作ウインドウＳ５には、ユーティリティのプラント辞書Ｓ６が重ねてウインドウ表示され、その一部が覆い隠されているため、このままで転写あるいは連動を要求しても全く意味がない。
【００８５】
従って、この場合、第１のフィルタ手段２４０では、まず、情報転写手段２００あるいは情報連動手段２１０からの共有実施の要求情報を受け取った時点で、同時にフィルタ設定パラメータファイル３０２の図１２に示す設定例のフィルタパラメータを読み込む。ここでは、プラント辞書Ｓ６がフィルタ指定になっており、第１のフィルタ手段２４０は、受信した表示情報と読み込んだフィルタパラメータとを比較して、フィルタ指定になっているもの、この場合、プラント辞書Ｓ６の表示情報については、情報共有先である第２のプラント監視装置２の表示処理手段１１１への送信を行わない。
【００８６】
そして、図１２のフィルタパラメータにフィルタ指定されているのは、プラント辞書Ｓ６のみであるから、その他の表示情報については、全て該第２の表示処理手段１１１に送信される。このようにして第２の表示装置１１には、図１１  （ｂ）に示すように、該プラント辞書Ｓ６が除去された画面表示がなされる。
【００８７】
（Ｆ）第６実施形態．
第６実施形態に係るプラント監視制御システムにおいて、第１のプラント監視装置の第１の表示装置からの情報共有要求に基づき、情報転写装置および情報連動装置を動作させて、これを他のプラント監視装置の各表示装置に作用させるようにした場合を図１３を用いて説明する。
【００８８】
本第６実施形態によるプラント監視制御システムの構成は、同図１３に示す通りに、前記第４実施形態での第１ないし第３の各プラント監視装置１〜３に対して、さらに、第１ないし第３の各分配手段２５０〜２５２をそれぞれに加えることにより、各表示装置１０，１１，１２ａの表示情報を分配して、その画像表示を行い得るようにしたことを特徴としている。
【００８９】
つまり、以上で述べた各実施形態のプラント監視装置の場合には、前記第４実施形態によって情報共有先となる各表示装置１０，１１，１２ａの何れかを任意に選択して情報共有を行うことが可能であるが、この第４実施形態の場合の情報共有は、選択された単一の表示装置にのみ限られており、同時に複数の各表示装置に対する情報共有ができない。
【００９０】
本第６実施形態の場合、第１の表示装置１０には、前記図５に示すようなプラント監視情報が画面表示されており、他の各表示装置、この場合は第２および第３の各表示装置１１，１２ａに対して、同時に該画面表示の情報共有を行うものである。
【００９１】
次に、本第６実施形態における各分配手段、ここでは、第１の分配手段２５０の作用について述べる。
【００９２】
本第６実施形態の場合、プラントオペレータは、第１の表示装置１０からの情報共有の要求に際し、情報共有先として、第２、第３の各表示装置１１，１２ａをそれぞれに示す論理番号ＣＲＴ２，ＣＲＴ３を指定して第１の表示装置選定手段２３０に通知する。
【００９３】
第１の表示装置選定手段２３０では、これらの各論理番号ＣＲＴ２，ＣＲＴ３の指定情報を受け取った後、設定パラメータファイル３０１から設定情報を読み込むことにより、該各論理番号ＣＲＴ２，ＣＲＴ３に該当する第２、第３の各表示装置１１，１２ａを制御する各プラント監視装置２，３でのネットワーク４０上の位置を取り出す。
【００９４】
この場合、第１の表示装置選定手段２３０は、情報共有先が単数の場合、先に第４実施形態で述べたように、該当するプラント監視装置、例えば、これがプラント監視装置２であれば、該プラント監視装置２の表示処理手段１１１に対してのみ共有情報を送信するが、本第６実施形態においては、情報共有先が第２、第３の各プラント監視装置２，３の各表示装置１１，１２ａであるという、複数の場合であるから、第１の分配手段２５０に対して情報共有先と共有情報とを通知し、該第１の分配手段２５０によって、ここでの該当する第２、第３の各プラント監視装置２，３の各表示処理手段１１１，１１２に対して共有情報を送信することになる。
【００９５】
従って、このように第１の表示装置１０に画面表示されたプラント制御操作情報が、所期通りに第２、第３の各表示装置１１，１２ａに画面表示されるのである。すなわち、本第６実施形態では、第１の表示装置１０からの１回の情報共有要求によるのみで、第２、第３の各表示装置１１，１２ａに対する情報共有を容易に実施できる。
【００９６】
（Ｇ）第７実施形態．
第７実施形態に係るプラント監視制御システムおいて、表示情報共有のためのプラント監視情報の転写およびプラント制御操作情報の連動が、それぞれに各別の表示装置、ここでは第１の表示装置１０と第２の表示装置１１とから特定の表示装置、ここでは第３の表示装置１２ａに対してほぼ同時に要求されたときに、これを集約して画面表示させるようにする場合を図１４および図１５を用いて説明する。
【００９７】
本第７実施形態によるプラント監視制御システムの構成は、同図１４に示す通りに、前記第４実施形態での第１ないし第３の各プラント監視装置１〜３に対して、さらに、第１ないし第３の各集約手段２６０〜２６２をそれぞれに加えることにより、これらの各集約手段２６０〜２６２によって各表示装置１０，１１，１２ａの表示情報を選択された特定の表示装置に集約表示させることを特徴としている。
【００９８】
次に、本第７実施形態における第１ないし第３の各集約手段２６０〜２６２の作用について述べる。なお、第１のプラント監視装置１の表示装置１０および第２のプラント監視装置２の表示装置１１には、それぞれに各別のプラント制御操作情報が画面表示されている。
【００９９】
最初に、第１のプラント監視装置１の表示装置１０から第３のプラント監視装置３の表示装置１２ａに対する情報共有の要求がなされると、第３のプラント監視装置３の集約手段２６２においては、該第１の表示装置１０から情報共有が要求されたことを認識した上で、これを記憶する。この場合、第３のプラント監視装置３の情報転写手段２０２もしくは情報連動手段２１２による作用が通常通りに行われ、第３の表示装置１２ａには、第１の表示装置１０に画面表示されているプラント制御操作情報が、そのままで画面表示される。
【０１００】
この状態で第２のプラント監視装置２の表示装置１１から第３のプラント監視装置３の表示装置１２ａに対する情報共有が要求されると、第３のプラント監視装置３の集約手段２６２においては、先に記憶した現在の情報共有状態を確認することにより、現在時点では、第１の表示装置１０からの情報共有を実施中であることを認識する。ここでは、その集約表示を行うものとして、次のような作用が実行される。
【０１０１】
すなわち、第３の集約手段２６２は、図１５に示されているように、第３の表示装置１２ａの表示区域を４分割した上で、まず、最初に情報共有要求のあった第１の表示装置１０のプラント制御操作情報の画面表示を表示区域１に移し、続いて情報共有要求のあった第２の表示装置１１に表示されているプラント制御操作情報を表示区域２に画面表示させる。これによって、第１の表示装置１０と第２の表示装置１１とに各別に画面表示されているそれぞれのプラント制御操作情報を第３の表示装置１２ａの表示画面に集約して表示することができる。
【０１０２】
ここで、第３の表示装置１２ａの表示区域を４分割するのは、該４分割された各表示区域１〜４を相互に重ならない構成にし、これによって各別の表示情報の視認性を低下させないようにするためである。この場合には、最大４台までの各表示装置の画面情報を１台の表示装置に集約して表示させ得るのである。なお、この最大集約数については、それぞれに該当する設定パラメータファイル３０３に記述する。
【０１０３】
（Ｈ）第８実施形態．
図１６は、本発明の第８実施形態によるプラント監視制御システムの概要構成を示すブロック図である。
【０１０４】
この第８実施形態においては、前記第７実施形態による集約の場合とは逆に、表示情報共有のためのプラント監視情報の転写およびプラント制御操作情報の連動が、現在時点で、特定の表示装置（ここでは第１の表示装置）１０からの要求（この場合は、排他要求を含む情報共有要求）で別の特定の表示装置（ここでは第３の表示装置１２ａ）に画面表示されており、この状態で、さらに別の特定の表示装置（ここでは第２の表示装置１１）からの情報共有要求がなされたとき、現在表示中の情報表示が消去されるのを防止するため、後からなされる要求を拒否かつ排他する場合を示している。
【０１０５】
本第８実施形態によるプラント監視制御システムの構成は、同図１６に示す通りに、前記第４実施形態での第１ないし第３の各プラント監視装置１〜３に対して、さらに、第１ないし第３の各排他手段２７０〜２７２をそれぞれに加えることにより、これらの各排他手段２７０〜２７２によって各表示装置１０，１１，１２ａの何れかの表示情報が選択された特定の表示装置に画面表示されている場合に、他の表示装置からの情報共有要求を排他するようにしたことを特徴としている。
【０１０６】
次に、本第８実施形態における各排他手段、ここでは、情報共有先として指定される第３の排他手段２７２の作用について述べる。なお、第１のプラント監視装置１の表示装置１０および第２のプラント監視装置２の表示装置１１には、それぞれに各別のプラント制御操作情報が画面表示されている。
【０１０７】
まず、第１のプラント監視装置１の表示装置１０から第３のプラント監視装置３の表示装置１２ａに対して情報共有を要求するが、このとき、プラントオペレータは、情報共有を要求したプラント監視情報およびプラント制御操作情報が、他の表示装置である第２の表示装置１１からの情報共有要求によって消去されてしまうことを防止するため、同時に排他要求を行う。
【０１０８】
そして、該排他要求は、第１の表示装置選定手段２３０によって受け付けられ、情報共有先に指定された第３のプラント監視装置３の排他手段２７２に送信する。該第３の排他手段２７２では、このときの受信内容から、情報共有に合わせて排他要求した第１のプラント監視装置１の論理番号ＯＰＳ１を記憶し、該要求受信以降は、ＯＰＳ１での第１の情報転写手段２００および第１の情報連動手段２１０からの送信に伴う作用については通常通りに自装置３内での表示処理手段１１２に通知して該当する表示処理を行わせるが、この間に、たとえ他の表示装置である第２の表示装置１１から情報共有要求があったとしても、これを一切無視して第１の表示装置１０からの排他解除要求があるまでの間、この状態を継続する。
【０１０９】
すなわち、このようにして第１の表示装置１０が第３の表示装置１２ａに対して情報共有を要求し、かつ排他要求を実施している場合については、第２の表示装置１１からのさらなる情報共有要求を排他することができる。
【０１１０】
【発明の効果】
以上、それぞれの各実施形態によって詳述したように、本発明の請求項１、５に記載のプラント監視制御システム及び記憶媒体によれば、所要のプラント監視装置の表示装置からの要求先を指定した情報共有要求に基づき、要求元のプラント監視装置に設けられた情報転写手段によって、要求元の表示装置に画面表示されているプラント監視情報およびプラント制御操作情報を指定先のプラント監視装置に送信するようにし、かつ該送信情報を受信する指定先のプラント監視装置において、自装置の表示装置に対して受信したプラント監視情報およびプラント制御操作情報を画面表示させるようにしたので、システムに属する全てのプラント監視装置から指定先のプラント監視装置の表示装置に対して情報共有要求に対応した表示情報を容易に転写して画面表示させることができる。
【０１１１】
さらに、本発明の請求項１、５に記載のプラント監視制御システム及び記憶媒体によれば、要求元のプラント監視装置に設けられた情報連動手段によって、指定先の表示装置への各情報表示後、要求元の表示装置に対して行われるプラント制御操作の経過情報などを該指定先の表示装置に継続して画面表示させるようにしたので、情報共有要求に対応した表示情報を転写に連動して継続的に画面表示させることができる。
【０１１３】
本発明の請求項２に記載のプラント監視制御システムによれば、請求項１のプラント監視制御システムにおいて、表示装置からの情報共有要求に際して、各プラント監視装置に設けられる選択手段によって、情報転写手段と情報連動手段とを任意に選択可能にしたので、該選択された手段による所要情報の画面表示または所要情報の継続した画面表示を行うことができる。
【０１１４】
本発明の請求項３に記載のプラント監視制御システムによれば、請求項１または請求項２のプラント監視制御システムにおいて、表示装置からの情報共有要求に際して、各プラント監視装置に設けられる表示装置選定手段によって、各表示装置における任意の各表示装置もしくは全ての表示装置を表示指定先として選定できるので、該選定した表示装置に対して共有情報を画面表示させることができる。
【０１１５】
本発明の請求項４に記載のプラント監視制御システムによれば、請求項１ないし３のいずれか１項のプラント監視制御システムにおいて、表示装置からの情報共有要求に際し、各プラント監視装置に設けられるフィルタ手段によって、情報表示を必要としない情報または情報部分を除去するようにしたので、該表示装置に画面表示される情報の視認性を向上させることができる。
【図面の簡単な説明】
【図１】本発明の第１実施形態を適用したプラント監視制御システムの概要構成を示すブロック図
【図２】同上第１実施形態でのプラント監視制御システムの第１の表示装置に画面表示されるプラント監視情報の一例を示す説明図
【図３】同上第１実施形態でのプラント監視制御システムの第１の表示処理手段で作成される共有情報テーブルの一例を示す説明図
【図４】本発明の第２実施形態を適用したプラント監視制御システムの概要構成を示すブロック図
【図５】同上第２実施形態でのプラント監視制御システムの第１の表示装置に画面表示されるプラント制御操作情報の一例を示す説明図
【図６】本発明の第３実施形態を適用したプラント監視制御システムの概要構成を示すブロック図
【図７】同上第３実施形態でのプラント監視制御システムにおける処理の流れを示すフローチャート
【図８】本発明の第４実施形態を適用したプラント監視制御システムの概要構成を示すブロック図
【図９】同上第４実施形態における設定パラメータファイルの記述例を示す説明図
【図１０】本発明の第５実施形態を適用したプラント監視制御システムの概要構成を示すブロック図
【図１１】同上第５実施形態における情報共有要求時にフィルタ動作が必要となる画面表示例（同図１１(a))と、該フィルタ作用後の画面表示例（同図１１(b))とをそれぞれに示す説明図
【図１２】同上第５実施形態におけるフィルタ設定パラメータの記述例を示す説明図
【図１３】本発明の第６実施形態を適用したプラント監視制御システムの概要構成を示すブロック図
【図１４】本発明の第７実施形態を適用したプラント監視制御システムの概要構成を示すブロック図
【図１５】同上第５実施形態におけるフィルタ設定パラメータの記述例を示す説明図
【図１６】本発明の第８実施形態を適用したプラント監視制御システムの概要構成を示すブロック図
【図１７】従来例でのプラント監視制御システムの概要構成を示すブロック図
【符号の説明】
１…第１のプラント監視装置      １ａ…記録媒体
１０…第１の表示装置            １００…プロセス値監視手段
１１０…第１の表示処理手段        ２００…第１の情報転写手段
２１０…第１の情報連動手段        ２３０…第１の表示装置選定手段
２４０…第１のフィルタ手段        ２５０…第１の分配手段
２６０…第１の集約手段            ２７０…第１の排他手段
３００，３０１，３０２，３０３…設定パラメータファイル
２…第２のプラント監視装置      ２ａ…記憶媒体
１１…第２の表示装置            １０１…プロセス値監視手段
１１１…第２の表示処理手段        ２０１…第２の情報転写手段
２１０…第２の情報連動手段        ２３１…第２の表示装置選定手段
２４１…第２のフィルタ手段        ２５１…第２の分配手段
２６１…第２の集約手段            ２７１…第２の排他手段
３…第３のプラント監視装置      ３ａ…記憶媒体
１２…共有情報表示装置          １２ａ…第３の表示装置
１０２…第３のプロセス値監視手段  １１２…第３の表示処理手段
２０２…第３の情報転写手段        ２１２…第３の情報連動手段
２３２…第３の表示装置選定手段    ２４２…第３のフィルタ手段
２５２…第３の分配手段            ２６２…第３の集約手段
２７２…第３の排他手段
２０…プラント                    ３０…制御装置
４０…ネットワーク              １５０…プラント入力手段
ＯＰＳ１…第１のプラント監視装置の論理番号
ＯＰＳ２…第２のプラント監視装置の論理番号
ＯＰＳ３…第３のプラント監視装置の論理番号
ＣＲＴ１…第１の表示装置の論理番号
ＣＲＴ２…第２の表示装置の論理番号
ＣＲＴ３…第３の表示装置の論理番号
Ｓ１…警報画面                  Ｓ２…系統グラフィック図
Ｓ３…トレンドグラフ            Ｓ４…プロセスデータ一覧
Ｓ５…制御操作ウインドウ
Ｓ６…ユーティリティのプラント辞書
Ｔ１…共有情報テーブル
【図１】
0004282181.tif 000002
【図２】
0004282181.tif 000003
【図３】
0004282181.tif 000004
【図４】
0004282181.tif 000005
【図５】
0004282181.tif 000006
【図６】
0004282181.tif 000007
【図７】
0004282181.tif 000008
【図８】
0004282181.tif 000009
【図９】
0004282181.tif 000010
【図１０】
0004282181.tif 000011
【図１１】
0004282181.tif 000012
【図１２】
0004282181.tif 000013
【図１３】
0004282181.tif 000014
【図１４】
0004282181.tif 000015
【図１５】
0004282181.tif 000016
【図１６】
0004282181.tif 000017
【図１７】
0004282181.tif 000018